(57)【要約】【課題】処理端末の種々の利用形態毎の複雑な操作を利用形態毎に簡略化し、視覚障害者も容易に高機能の処理端末を使いこなせるようにする。【解決手段】処理端末が、ＲＦＩＤ読み書き制御アプリケーションプログラムの制御の下で、前記処理端末の起動時に、前記処理端末の利用形態毎に用意した個別アプリケーションプログラムデータを記憶した、触感で区別できるＲＦＩＤ媒体から、近接無線通信により前記個別アプリケーションプログラムデータを読み込み動作するＲＦＩＤ媒体による動作指令システムを用いる。【選択図】図１
2014006638.tif 000002
【特許請求の範囲】
【請求項１】
処理端末が、ＲＦＩＤ読み書き制御アプリケーションプログラムの制御の下で、前記処理端末の起動時に、前記処理端末の利用形態毎に用意した個別アプリケーションプログラムデータを記憶した、触感で区別できるＲＦＩＤ媒体から、近接無線通信により前記個別アプリケーションプログラムデータを読み込み動作することを特徴とするＲＦＩＤ媒体による動作指令システム。
【請求項２】
請求項１記載のＲＦＩＤ媒体による動作指令システムであって、前記処理端末がタッチパネル式表示手段を有し、前記処理端末が前記タッチパネル式表示手段からの操作者のジェスチャの入力によって操作指令を受けて動作し、かつ、音声出力により該個別アプリケーションプログラムの動作結果を前記操作者に通知することを特徴とするＲＦＩＤ媒体による動作指令システム。
【請求項３】
請求項１又は２に記載のＲＦＩＤ媒体による動作指令システムであって、前記処理端末が前記ＲＦＩＤ媒体に前記個別アプリケーションプログラムデータを書き込む機能を有することを特徴とするＲＦＩＤ媒体による動作指令システム。
【請求項４】
請求項１乃至３の何れか一項に記載のＲＦＩＤ媒体による動作指令システムであって、前記ＲＦＩＤ媒体の前記個別アプリケーションプログラムデータが、前記処理端末に通信させるサービス提供装置のアクセスアドレスが格納された処理内容登録データを含むことを特徴とするＲＦＩＤ媒体による動作指令システム。
【請求項５】
請求項１乃至４の何れか一項に記載のＲＦＩＤ媒体による動作指令システムであって、前記処理端末が、Ｗｅｂサイトの画面やテキストファイルのテキストを音声で読み上げる画面読み上げアプリケーションプログラムを動作させることを特徴とするＲＦＩＤ媒体による動作指令システム。
【発明の詳細な説明】
【技術分野】
【０００１】
本発明は、ＲＦＩＤ媒体による動作指令システムに関し、特に、タッチパネル式の処理端末等が、個々に用意したＲＦＩＤ媒体毎に、そのＲＦＩＤ媒体毎に記憶した特定のアプリを、非接触で処理端末が読み込んで、アプリ毎に指定された特定の動作を行うように、処理端末の動作の設定を行う。この処理端末の動作を、ＲＦＩＤ媒体を切り替えるのみで簡単に動作を切り替えることができる、ＲＦＩＤ媒体による動作指令システムに関する。
【背景技術】
【０００２】
従来、処理端末の一部の機能を省略するアイテムとしてカードに処理の一部を記憶させたものが知られている。例えば特許文献１などに開示されている、銀行端末の取引における、振込先などを登録した振込カードを用いた処理である。この振り込みカードは磁気カードを用いて、振込先などの入力作業の一部をカードに記録し、端末で入力しなくてもカード挿入することで自動入力ができるようにしている。
【０００３】
しかし、特許文献１の振込カードの技術では、入力作業の一部は自動化できるものの、複雑な操作手順は省略できず、入力作業の一部以外の作業は人の作業が発生する。
【０００４】
次に、特許文献２に開示された技術では、近年のテレビ映像録画レコーダ等の処理端末の設定の際に、通信ネットワークを介してその設定情報ををＷｅｂサーバに登録する等の、設定の際に必要な複雑なステップを省略して煩雑な操作を改善する技術が提案されている。それは、ＲＦ−ＩＤカードにテレビ映像録画レコーダの動作プログラムデータを格納し、テレビ映像録画レコーダがＲＦ−ＩＤリーダ／ライタを備え、そのＲＦ−ＩＤリーダ／ライタによってＲＦ−ＩＤカードから動作プログラムデータを読み出してテレビ映像録画レコーダを動作させる。それにより、テレビ映像録画レコーダの設定をユーザが複雑な処理を意識することなく実施することが可能になる。
【先行技術文献】
【特許文献】
【０００５】
【特許文献１】特開昭６０−０２７０６７号公報
【特許文献２】国際公開ＷＯ２００９／０８４２４３号公報
【発明の概要】
【発明が解決しようとする課題】
【０００６】
近年のスマートフォン等の高機能の処理端末を利用する際に、本来の電話機能だけでなく、ネット機能、ゲーム機能、音楽受信機能など多彩な機能があり、それらの多くの機能を使用する場合、各機能毎に複雑な操作ステップを経由しなければならない。
【０００７】
特許文献２の技術は、処理端末の設定を簡易化することはできるが、高機能の処理端末の複雑な利用形態形態毎の操作ステップをその利用形態毎に簡易化することはできなかった。特に、これらの処理端末を視覚障害者が使用しようとしても、各機能毎の操作が複雑なため、その処理端末の多彩な機能を使いきれないという不便さがあった。
【０００８】
本発明は、かかる問題を解決し、処理端末の種々の利用形態毎の複雑な操作を利用形態毎に簡略化し、視覚障害者も容易にこれらの高機能の処理端末を使いこなせるようにすることを課題とする。
【課題を解決するための手段】
【０００９】
本発明は、上記課題を解決するために、処理端末が、ＲＦＩＤ読み書き制御アプリケーションプログラムの制御の下で、前記処理端末の起動時に、前記処理端末の利用形態毎に用意した個別アプリケーションプログラムデータを記憶した、触感で区別できるＲＦＩＤ媒体から、近接無線通信により前記個別アプリケーションプログラムデータを読み込み動作することを特徴とするＲＦＩＤ媒体による動作指令システムである。
【００１０】
また、本発明は、上記のＲＦＩＤ媒体による動作指令システムであって、前記処理端末がタッチパネル式表示手段を有し、前記処理端末が前記タッチパネル式表示手段からの操作者のジェスチャの入力によって操作指令を受けて動作し、かつ、音声出力により該個別アプリケーションプログラムの動作結果を前記操作者に通知することを特徴とするＲＦＩＤ媒体による動作指令システムである。
【００１１】
また、本発明は、上記のＲＦＩＤ媒体による動作指令システムであって、前記処理端末が前記ＲＦＩＤ媒体に前記個別アプリケーションプログラムデータを書き込む機能を有することを特徴とするＲＦＩＤ媒体による動作指令システムである。
【００１２】
また、本発明は、上記のＲＦＩＤ媒体による動作指令システムであって、前記ＲＦＩＤ媒体の前記個別アプリケーションプログラムデータが、前記処理端末に通信させるサービス提供装置のアクセスアドレスが格納された処理内容登録データを含むことを特徴とするＲＦＩＤ媒体による動作指令システムである。
【００１３】
また、本発明は、上記のＲＦＩＤ媒体による動作指令システムであって、前記処理端末が、Ｗｅｂサイトの画面やテキストファイルのテキストを音声で読み上げる画面読み上げアプリケーションプログラムを動作させることを特徴とするＲＦＩＤ媒体による動作指令システムである。
【発明の効果】
【００１４】
本発明のＲＦＩＤ媒体による動作指令システムは、触感で区別できるＲＦＩＤ媒体毎に、処理端末の異なる利用形態毎の個別アプリケーションプログラムデータを記憶させる。そして、触感で区別して選択したＲＦＩＤから近接無線通信を介して個別アプリケーションプログラムデータを処理端末に読み込んで動作させることで、処理端末の利用形態毎の操作を簡略化することができる効果がある。
【００１５】
また、処理端末のタッチパネル式表示手段から操作者のジェスチャによる指令を入力し、かつ、音声出力により個別アプリケーションプログラムの動作結果を操作者に通知することにより、触感で区別できるＲＦＩＤ媒体で利用形態毎の操作を簡略化して処理端末を利用できるようにすることができ、視覚障害者に、処理端末の種々の高度な機能を容易に利用できるようにする効果がある。
【図面の簡単な説明】
【００１６】
【図１】本発明の実施形態のＲＦＩＤ媒体による動作指令システムの構成を示すブロック図である。
【図２】本発明の実施形態の処理端末（ＡＰＬ）の構成を示すブロック図である。
【図３】本発明の実施形態のＲＦＩＤ媒体の構成を示すブロック図である。
【図４】本発明の実施形態のＲＦＩＤ媒体のメモリが記憶する個別アプリケーションプログラムデータが含む処理内容登録データのデータ構造を示す図である。
【図５】本発明の実施形態のＲＦＩＤ媒体による動作指令システムの各装置における処理の流れを説明するフローチャートである。
【発明を実施するための形態】
【００１７】
以下、図面を参照して本発明の実施の形態を説明する。図１は、本発明の実施形態のＲＦＩＤ媒体による動作指令システムの構成を示すブロック図である。
【００１８】
〔ＲＦＩＤ媒体による動作指令システムの構成〕
図１のように、ＲＦＩＤ媒体による動作指令システムは、主要動作指令サーバ（データ提供装置）１００と処理端末（ＡＰＬ）２００と、それらの装置間の通信を仲介する通信ネットワーク４００と、処理端末２００の利用形態毎に用意した触感で区別できるＲＦＩＤ媒体３００、及び、処理端末２００がデータを交換したり、あるいは、制御をする相手のサービス提供装置１１０から構成される。
【００１９】
（主要動作指令サーバ）
主要動作指令サーバ１００は、ユーザが所有する処理端末２００からの、通信ネットワーク４００を介した要求に応じて、ＲＦＩＤ読み書き制御アプリケーションプログラム２１１と画面読み上げアプリケーションプログラム２１２と個別アプリケーションプログラムデータＤ１０を提供して、処理端末２００にダウンロードさせる。
【００２０】
また、主要動作指令サーバ１００が処理端末２００に提供する画面読み上げアプリケーションプログラム２１２は、処理端末２００が画像情報の音声変換を行う種々のサービスを提供し、例えば、処理端末２００が通信ネットワーク４００等を介して取得したＷｅｂサイトの画面情報等を音声に変換して出力してユーザに知らせる動作を行う。
【００２１】
（通信ネットワーク）
通信ネットワーク４００は、広域の機器間を接続する通信ネットワークや、あるいは、社内や家庭内の機器間で通信を行う通信ネットワークも通信ネットワーク４００に含める。
【００２２】
（サービス提供装置）
サービス提供装置１１０は、処理端末２００が通信ネットワーク４００を介してデータを交換する相手の装置であり、広域の機器であるＷｅｂサーバや、あるいは、処理端末２００と通信を行う家庭内の機器もサービス提供装置１１０に含める。処理端末２００が、通信ネットワークを介して制御データを送信することでサービス提供装置１１０の動作を制御するようにすることもできる。
【００２３】
主要動作指令サーバ１００及びサービス提供装置１１０が提供する各種データは、テキストデータ、音声データ、アプリケーションソフトウェアまたはそれらを組み合わせたものが可能であり、また、特定のフォーマットに限定されるものではない。
【００２４】
（処理端末）
処理端末（ＡＰＬ）２００の詳細な構成を図２を参照して説明する。処理端末２００は、携帯電話機や、通信網と接続したタブレット端末、ノート型パソコン、携帯型ゲーム機等である。処理端末２００は、タッチパネル式表示手段２０１とスピーカ２０２とネットワーク通信部２０３と、ＲＦＩＤ媒体３００と近接無線通信を行うＲＦ−ＩＤリーダライタ２０４と、各機能を実現する制御プログラムの命令を実行するＣＰＵやＭＰＵ（Micro Processing Unit）等から成る処理端末制御部２０５と、記憶部２１０を備えている。記憶部２１０は、その処理プログラムを格納したＲＯＭ、そのプログラムおよび各種データを記憶するＲＡＭやフラッシュメモリ等から構成する。
【００２５】
タッチパネル式表示手段２０１は、投影静電容量方式のタッチパネル式表示手段２０１などの、操作者がタッチパネル式表示手段２０１に同時に複数箇所に指で接触して指のジェスチャを入力できる、操作者の指の複数の接触位置を同時に入力可能なタッチパネル式表示手段２０１であることが望ましい。
【００２６】
処理端末２００は、ＲＦ−ＩＤリーダライタ２０４を用いて、近距離無線通信（ＩｒＳＳやＢｌｕｅｔｏｏｔｈ（登録商標）、ＮＦＣ（Near Field Communication）など）により、ＩＣカードやＲＦ−ＩＤ等のＲＦＩＤ媒体３００とデータ通信する。
【００２７】
そして、処理端末２００は、ネットワーク通信部２０３により、携帯電話網（３Ｇや３．５Ｇなど）や無線通信網（無線ＬＡＮなど）などの通信ネットワーク４００と通信する。
【００２８】
処理端末２００は、ＲＦＩＤ媒体による動作指令システムを動作させるために、最初に、主要動作指令サーバ１００からＲＦＩＤ読み書き制御アプリケーションプログラム２１１と画面読み上げアプリケーションプログラム２１２と個別アプリケーションプログラムデータＤ１０を受信し、記憶部２１０に記憶する。処理端末２００の記憶部２１０は、また、自装置の端末ＩＤ等の処理端末識別番号Ｄ２１を記憶する。
【００２９】
次に、処理端末２００は、個別アプリケーションプログラムデータＤ１０をＲＦ−ＩＤリーダライタ２０４を用いた近接無線通信を介してＲＦＩＤ媒体３００に送信してそのメモリ３０１に記憶させる。更に、必要により、ＲＦＩＤ読み書き制御アプリケーションプログラム２１１や画面読み上げアプリケーションプログラム２１２も、ＲＦＩＤ媒体３００に送信してそのメモリ３０１に記憶させることもできる。
【００３０】
処理端末２００は、ＲＦＩＤ読み書き制御アプリケーションプログラム２１１をインストールして電源を切った後に、処理端末２００の電源を入れて立ち上げた際に、処理端末２００がＲＦＩＤ読み書き制御アプリケーションプログラム２１１を実行し、処理端末２００の操作者に向けて音声で、ＲＦＩＤ媒体３００を処理端末２００にかざすことを要求する。次に、処理端末２００の個々の利用形態毎に用意したＲＦＩＤ媒体３００の１つが処理端末２００に接近した場合に、そのＲＦＩＤ媒体３００から個別アプリケーションプログラムデータＤ１０（以下、個別アプリと称す）を読み出して、その個別アプリをインストールして実行する。それにより、その処理端末２００を利用形態毎に異なる動作をさせることができる。
【００３１】
また、最初に、主要動作指令サーバ１００からＲＦＩＤ読み書き制御アプリケーションプログラム２１１を受信した処理端末２００とは異なる処理端末２００であっても、その処理端末２００は、ＲＦＩＤ媒体３００からＲＦＩＤ読み書き制御アプリケーションプログラム２１１と画面読み上げアプリケーションプログラム２１２と個別アプリケーションプログラムデータＤ１０とを受信してインストールして実行することができる。そのように、ＲＦＩＤ媒体３００に、他の処理端末２００にＲＦＩＤ読み書き制御アプリケーションプログラム２１１等をインストールするために、ＲＦＩＤ読み書き制御アプリケーションプログラム２１１等をＲＦＩＤ媒体３００に記憶させることができる。
【００３２】
こうして、処理端末２００が、主要動作指令サーバ１００あるいはＲＦＩＤ媒体３００からＲＦＩＤ読み書き制御アプリケーションプログラム２１１や画面読み上げアプリケーションプログラム２１２を読み込んで実行することで、処理端末２００の個々の利用形態毎に用意したＲＦＩＤ媒体３００の個別アプリケーションプログラムデータＤ１０を読み込んで動作させることができる。また、画面読み上げアプリケーションプログラム２１２の制御下で、主要動作指令サーバ１００やサービス提供装置１１０の画像情報を受信して、その画像情報を音声に変換するようにできる。
【００３３】
（ＲＦＩＤ読み書き制御アプリケーションプログラム）
ＲＦＩＤ読み書き制御アプリケーションプログラム２１１は、処理端末２００が電源スイッチをオンにされる等で起動し処理端末２００の動作を開始した際に、近接無線通信によりＲＦＩＤ媒体３００から個別アプリケーションプログラムデータＤ１０を読み込んで動作する。
【００３４】
個別アプリケーションプログラムデータＤ１０には、例えば、Ｗｅｂサイトへアクセスして画面を読み込むプログラム等のプログラムのデータが書き込まれている。
【００３５】
また、ＲＦＩＤ読み書き制御アプリケーションプログラム２１１は、処理端末２００がタッチパネル式表示手段２０１から、操作者の指によるジェスチャによる指令を、画面のストローク指令に分解・解析してコマンドに変換して読み込み、そのコマンドに応じて動作する。
【００３６】
また、ＲＦＩＤ読み書き制御アプリケーションプログラム２１１は、処理端末２００がネットワーク通信部２０３を用いて通信ネットワーク４００を介して、主要動作指令サーバ１００から画面読み上げアプリケーションプログラム２１２や個別アプリケーションプログラムデータＤ１０を受信して記憶部２１０で記憶するようにすることができる。
【００３７】
そして、処理端末２００は、電源スイッチがオンにされて起動して動作を開始した際にＲＦＩＤ媒体３００から個別アプリケーションプログラムデータＤ１０を読み込む。そして、その個別アプリケーションプログラムデータＤ１０に従って、例えば、ネットワーク通信部２０３を用いて通信ネットワーク４００を介して、指示されたＵＲＬのＷｅｂサイトの主要動作指令サーバ１００やその他のＷｅｂサーバ等のサービス提供装置１１０にアクセスする。
【００３８】
主要動作指令サーバ１００は、そのアクセス要求に対する応答として、画面読み上げアプリケーションプログラム２１２やその他のアプリケーションプログラムやコンテンツを処理端末２００へ送信する。その他のＷｅｂサーバ等のサービス提供装置１１０も、提供している各種データ（Ｗｅｂページなどのコンテンツ）をＨＴＭＬ形式などのフォーマットのデータにして処理端末２００へ送信する。処理端末２００はネットワーク通信部２０３を用いて通信ネットワーク４００を介してそれらのデータを受信する。
【００３９】
処理端末２００が、主要動作指令サーバ１００から画面読み上げアプリケーションプログラム２１２を受信してインストールした場合は、処理端末制御部２０５は、画面読み上げアプリケーションプログラム２１２を動作させ、そのプログラムに従って、Ｗｅｂサーバ等のサービス提供装置１１０が提供しているデータを音声のメッセージに変換してスピーカ２０２から出力する。
【００４０】
（ＲＦＩＤ媒体）
ＲＦＩＤ媒体３００は、例えばカード状のＲＦＩＤ媒体３００では、カードの表面に、視覚障害者が簡単に識別できるように、エンボス印刷、又は、粒子状の印刷インクを印刷したもの、あるいは、発泡性マイクロカプセルを添加した紙の層の特定位置のマイクロカプセルを発泡させて凸パターンを形成して、触感で識別できる印を形成したＲＦＩＤ媒体３００を、処理端末２００の個々の利用形態（用途に合わせて設定された動作形態）毎に用意する。すなわち、処理端末２００の利用形態毎のＲＦＩＤ３００を触感で区別できるように、利用形態毎のＲＦＩＤ媒体３００に、異なった触感のパターンを形成して触感で利用形態を区別できるようにしたＲＦＩＤ媒体３００を発行する。
【００４１】
例えば、触感で区別するために、カード状のＲＦＩＤ媒体３００の表面に、発泡性マイクロカプセルを添加した紙の層を貼り付ける。そして、異なるＲＦＩＤ媒体３００毎に、
その紙の層の異なる位置にレーザー光線を照射して９０℃以上に加熱してマイクロカプセルを発泡させて異なる凸パターンを形成する。それにより、異なるＲＦＩＤ媒体３００を、異なる触感のパターンで識別できるようにする。
【００４２】
あるいは、ハサミで切れ目を形成できる紙の部分を形成したＲＦＩＤ３００を発行し、ＲＦＩＤ媒体３００を使用する者が、異なるＲＦＩＤ媒体３００毎に、切れ目を形成できる紙の部分にハサミで異なる形の切れ目を入れて、触感で区別できるようにすることもできる。
【００４３】
ＲＦＩＤ媒体３００は、カード状のＲＦＩＤ媒体３００やＲＦＩＤタグや、あるいは、他の携帯電話に搭載された状態の非接触ＩＣカード等のＲＦＩＤ媒体３００を用いる事ができる。
【００４４】
図３はＲＦＩＤ媒体３００の構成を示すブロック図である。ＲＦＩＤ媒体３００は、メモリ３０１、ＲＦＩＤ媒体制御部３０２、近接無線通信用アンテナ３０３、データ受信部３０５、データ送信部３０６、記録部３０７、再生部３０８から構成される。
【００４５】
メモリ３０１には、そのＲＦＩＤ媒体３００のＩＤ媒体識別番号Ｄ３１を記憶するとともに、主要動作指令サーバ１００から受信した各種のプログラムデータを記憶する。すなわち、個別アプリケーションプログラムデータＤ１０や、その他、必要に応じて、ＲＦＩＤ読み書き制御アプリケーションプログラム２１１や、画面読み上げアプリケーションプログラム２１２等を記憶する。個別アプリケーションプログラムデータＤ１０には、その個別アプリの主要な制御パラメータを記録した処理内容登録データＤ２０を設ける。
【００４６】
ＲＦＩＤ媒体３００は、処理端末２００がＲＦ−ＩＤリーダライタ２０４を用いて近接無線通信によりデータを通信する相手の電子回路であり、ＲＦ−ＩＤカード等のＩＣカードや、マスクＲＯＭ／ＥＰＲＯＭ／ＥＥＰＲＯＭ／フラッシュＲＯＭ等の半導体メモリから成るＲＦ−ＩＤタグ等である。
【００４７】
ＲＦＩＤ媒体３００は、個別アプリケーションプログラムデータＤ１０をメモリ３０１に記憶して処理端末２００にそのデータを送信することで、処理端末２００の動作を制御する。例えば、処理端末２００を主要動作指令サーバ１００、又は、その他のＷｅｂサーバ等のサービス提供装置１１０にアクセスさせる。また、ＲＦＩＤ媒体３００は、ＲＦＩＤ読み書き制御アプリケーションプログラム２１１もメモリ３０１に記憶して処理端末２００にＲＦＩＤ読み書き制御アプリケーションプログラム２１１のデータを提供することもできる。
【００４８】
（個別アプリケーションプログラムデータＤ１０）
次に、図３と図４を用いて、ＲＦＩＤ媒体３００のメモリ３０１が記憶する、処理端末２００の個々の利用形態毎に用意した個別アプリケーションプログラムデータＤ１０に関して説明する。図４は、個別アプリケーションプログラムデータＤ１０が含む処理内容登録データＤ２０のデータ構造を示す。すなわち、個別アプリケーションプログラムデータＤ１０の処理内容登録データＤ２０には、図４のように、その個別アプリケーションプログラムデータＤ１０のアプリ識別符号データＤ１１や、その個別アプリを実行できる処理端末２００の処理端末識別番号Ｄ２１や、その処理端末２００に通信させるべき相手のサービス提供装置１１０のアクセスアドレスＤ３２等を記録する。
【００４９】
処理内容登録データＤ２０のアクセスアドレスＤ３２は、Ｗｅｂページを提供するＷｅｂサーバのＵＲＬのアドレスや、通信ネットワーク４００に接続するサービス提供装置１１０のＩＰアドレスや電子メールのアドレス、あるいは、電話のサービス提供装置１１０の電話番号などが記録されていても良い。それにより、携帯電話などの処理端末２００を個別アプリケーションプログラムデータＤ１０が制御して、その電話番号のサービス提供装置１１０へ通話を開始させる機能をＲＦＩＤ媒体３００に持たせることもできる。
【００５０】
アクセスアドレスＤ３２には、その他に、処理端末２００を、社内や家庭内ネットワークの通信ネットワーク４００で接続する家庭電化製品等のサービス提供装置１１０にアクセスさせるべく、ＭＡＣアドレスなどの機器を特定する情報をアクセスアドレスＤ３２として記録しても良い。こうして、処理端末２００を、処理端末２００の利用形態毎に用意した個別アプリケーションプログラムデータＤ１０に応じて、通信ネットワーク４００に接続したサービス提供装置１１０と通信させることができる。
【００５１】
（ＩＤ媒体のメモリの読み書き）
ＲＦＩＤ媒体３００は、処理端末２００がＲＦ−ＩＤリーダライタ２０４を介して送信したデータをデータ受信部３０５で受信し、ＲＦＩＤ媒体制御部３０２で処理して記録部３０７を用いてメモリ３０１に記憶する。メモリ３０１のデータは、再生部３０８を用いて再生して、ＲＦＩＤ媒体制御部３０２で処理してデータ送信部３０６により近接無線通信用アンテナ３０３を介して処理端末２００へ送信する。
【００５２】
（ＲＦＩＤ媒体による動作指令システムの処理の流れ）
次に、図５のフローチャートを参照しながら、ＲＦＩＤ媒体による動作指令システムの各装置における処理の流れを説明する。
【００５３】
（ＲＦＩＤ読み書き制御アプリと個別アプリプログラムデータＤ１０の取得）
最初に、処理端末２００のユーザが、ＲＦＩＤ媒体による動作指令システムを利用するために、通信ネットワーク４００を介して主要動作指令サーバ１００のＷｅｂサイトにアクセスして、主要動作指令サーバ１００からＲＦＩＤ読み書き制御アプリケーションプログラム２１１と画面読み上げアプリケーションプログラム２１２と個別アプリケーションプログラムデータＤ１０を受信する。
【００５４】
処理端末２００は、そのＲＦＩＤ読み書き制御アプリケーションプログラム２１１と画面読み上げアプリケーションプログラム２１２を記憶部２１０に記憶して動作させる。それとともに、個別アプリケーションプログラムデータＤ１０、または、必要により、ＲＦＩＤ読み書き制御アプリケーションプログラム２１１と画面読み上げアプリケーションプログラム２１２をＲＦＩＤ媒体３００に送信してそのメモリ３０１に記憶させる。
【００５５】
その後に、処理端末２００を起動させた際には、処理端末２００が、ＲＦＩＤ読み書き制御アプリケーションプログラムを起動し、ＲＦＩＤ媒体による動作指令システムの動作に入る。
【００５６】
処理端末２００がＲＦＩＤ読み書き制御アプリケーションプログラム２１１を起動すると、スピーカ２０２に、「ＲＦＩＤ媒体をかざして下さい」という音声のメッセージを出力する。それと同時に、処理端末２００がＲＦ−ＩＤリーダライタ２０４を介して、ＲＦＩＤ媒体３００に向けて通信開始要求信号を送信する。この通信開始要求信号は、ＲＦＩＤ媒体３００から応答信号を受信するまで繰り返して送信する。
【００５７】
操作者がそのメッセージに応じて、ＲＦＩＤカード等のＲＦＩＤ媒体３００を処理端末（ＡＰＬ）２００の通信開始要求中のＲＦ−ＩＤリーダライタ２０４に接近させると、ＲＦＩＤ媒体３００から処理端末２００にＩＤ媒体識別番号Ｄ３１を返送する。処理端末２００は、それによりＲＦＩＤ媒体３００の接近を認識し、ＲＦＩＤ媒体３００に対して、「個別アプリケーションプログラムデータ要求」コマンドを送信する。
【００５８】
そして、「個別アプリケーションプログラムデータ要求」コマンドを受信したＲＦＩＤ媒体３００は、個別アプリケーションプログラムデータＤ１０を処理端末２００に返信する。
【００５９】
処理端末は、ＲＦＩＤ読み書き制御アプリケーションプログラム２１１の制御下で個別アプリケーションプログラムデータＤ１０を読み込んで実行する。例えば、処理端末２００が、ＲＦＩＤ媒体３００から、ネットワーク通信部２０３を用いて指示されたＵＲＬのＷｅｂサイトにアクセスする個別アプリケーションプログラムデータＤ１０を受信した場合は、そのアプリを実行して、指定されたＷｅｂサイトにアクセスしつつ、選択されたＷｅｂサイトの概要を示す音声メッセージをスピーカ２０２から出力する。
【００６０】
（画面読み上げアプリケーションプログラムの動作）
ＲＦＩＤ媒体による動作指令システムの主要動作指令サーバ１００は、画面読み上げアプリケーションプログラム２１２を提供する。処理端末２００が主要動作指令サーバ１００から画面読み上げアプリケーションプログラム２１２をダウンロードしてそのアプリを実行した場合は、画面読み上げアプリケーションプログラム２１２は、処理端末２００を以下のように動作させる。
【００６１】
すなわち、処理端末２００は、画面読み上げアプリケーションプログラム２１２の制御下で、タッチパネル式表示手段２０１から、操作者の指のジェスチャを、画面のストローク指令に分解し、それを解析して操作者から指令されたコマンドに変換する計算処理を行う。そして、そのコマンドに応じて、画面読み上げアプリケーションプログラム２１２によって設定された所定の動作を行う。
【００６２】
（画面読み上げアプリケーションプログラムの制御下でＷｅｂサイトへアクセスする）
例えば、画面読み上げアプリケーションプログラム２１２の制御下で、操作者（ユーザ）からあるＷｅｂサイトのサービス提供装置１１０へのアクセスを指令された処理端末２００は、そのサービス提供装置１１０にアクセスし、そのＷｅｂページのＨＴＭＬデータ等の画面データを受信する。そして、受信した画面データを音声データに変換して、スピーカ２０２に出力して操作者に通知する。
【００６３】
（処理端末のその他の画面データの読み上げ）
また、処理端末２００は、画面読み上げアプリケーションプログラム２１２の制御下で、操作者から、処理端末２００が記憶するテキストファイルの読み上げを指令された場合は、指定されたテキストファイルのデータを読み上げて音声に変換してスピーカ２０２から音声を出力して操作者に知らせる。
【００６４】
これにより、視覚障害者が簡単に、Ｗｅｂサイトの画面の内容を確認したり、各種マニュアルや電子書籍等のテキストファイルの情報を知ることができる効果がある。
【００６５】
なお、処理端末２００が動作させる画面読み上げアプリケーションプログラム２１２の機能は、テキスト形式のデータを音声に変換する処理に限定されず、処理端末２００が備えるカメラが取得した画像データ、あるいは、通信ネットワーク４００を介して通信することができるカメラ等のサービス提供装置１１０が取得した画像データから、キャラクターリーダ手段により文字列を抽出することもできる。そうして抽出した文字列を、画面読み上げアプリケーションプログラム２１２がテキスト文字データに変換して、そのテキスト文字データを音声に変換してスピーカ２０２から出力して操作者に情報を提供することが可能である。
【産業上の利用可能性】
【００６６】
本発明によって、タブレット端末等の処理端末２００を、音声による操作者への情報の出力と、操作者からのジェスチャによる指令の入力とで操作できるようにし、処理端末２００が通信ネットワーク４００等を通じて取得した表示画面の情報を音声に変換して読み上げることで視覚障害者を支援するシステム全般に有効である。
【符号の説明】
【００６７】
１００・・・主要動作指令サーバ（データ提供装置）
１１０・・・サービス提供装置
２００・・・処理端末（ＡＰＬ）
２０１・・・タッチパネル式表示手段
２０２・・・スピーカ
２０３・・・ネットワーク通信部
２０４・・・ＲＦ−ＩＤリーダライタ
２０５・・・処理端末制御部
２１０・・・記憶部
２１１・・・ＲＦＩＤ読み書き制御アプリケーションプログラム
２１２・・・画面読み上げアプリケーションプログラム
３００・・・ＲＦＩＤ媒体
３０１・・・メモリ
３０２・・・ＲＦＩＤ媒体制御部
３０３・・・近接無線通信用アンテナ
３０５・・・データ受信部
３０６・・・データ送信部
３０７・・・記録部
３０８・・・再生部
４００・・・通信ネットワーク
Ｄ１０・・・個別アプリケーションプログラムデータ
Ｄ１１・・・アプリ識別符号データ
Ｄ２０・・・処理内容登録データ
Ｄ２１・・・処理端末識別番号
Ｄ３１・・・ＩＤ媒体識別番号
Ｄ３２・・・アクセスアドレス
【図１】
2014006638.tif 000003
【図２】
2014006638.tif 000004
【図３】
2014006638.tif 000005
【図４】
2014006638.tif 000006
【図５】
2014006638.tif 000007